(57)【要約】【課題】像保持体に抵抗を負荷するか、負荷しないかを選択したうえで、記録媒体に画像を形成することができる画像形成装置を得ることである。【解決手段】画像形成部は、抵抗部材が装置本体に装着されて像保持体に接触している状態、及び抵抗部材が装置本体から脱離されて像保持体に接触していない状態において、回転している像保持体に画像を形成し、回転している像保持体に形成された画像を、搬送されている記録媒体に転写するようになっている。【選択図】図１
2018146842.tif 000002
【特許請求の範囲】
【請求項１】
画像を保持する像保持体と、
前記像保持体が回転するように前記像保持体を駆動する駆動部材と、
前記像保持体に接触して、回転する前記像保持体に負荷される抵抗を増加させると共に、装置本体に対して着脱可能な抵抗部材と、
前記像保持体との間で記録媒体を挟み込んで搬送し、記録媒体に像保持体上の画像を転写する転写部材を有し、前記抵抗部材が前記装置本体に装着されて前記像保持体に接触している状態、及び前記抵抗部材が前記装置本体から脱離されて前記像保持体に接触していない状態において、回転している前記像保持体に画像を形成し、回転している前記像保持体に形成された画像を、搬送されている記録媒体に転写する画像形成部と、
記録媒体の搬送方向において、前記画像形成部の下流側に配置され、前記画像形成部によって画像が転写されている状態の記録媒体の先端側の部分を挟んで記録媒体を搬送する搬送部材と、
を備える画像形成装置。
【請求項２】
画像を保持する像保持体と、
前記像保持体が回転するように前記像保持体を駆動する駆動部材と、
前記像保持体に接触して、回転する前記像保持体に負荷される抵抗を増加させると共に、前記像保持体に対して接離可能な抵抗部材と、
前記像保持体との間で記録媒体を挟み込んで搬送し、記録媒体に像保持体上の画像を転写する転写部材を有し、前記抵抗部材が前記像保持体に接触している状態、及び前記抵抗部材が前記像保持体に接触していない状態において、回転している前記像保持体に画像を形成し、回転している前記像保持体に形成された画像を、搬送されている記録媒体に転写する画像形成部と、
記録媒体の搬送方向において、前記画像形成部の下流側に配置され、前記画像形成部によって画像が転写されている状態の記録媒体の先端側の部分を挟んで記録媒体を搬送する搬送部材と、
を備える画像形成装置。
【請求項３】
前記抵抗部材を制御する制御部を備え、
前記制御部は、前記抵抗部材を制御し、画像が転写される記録媒体のこわさが、予め決められたこわさ以上の場合は、前記抵抗部材を前記像保持体に接触させ、記録媒体のこわさが、予め決められたこわさ未満の場合は、前記抵抗部材を前記像保持体から離間させる請求項２に記載の画像形成装置。
【請求項４】
画像を保持する像保持体と、
前記像保持体が回転するように前記像保持体を駆動する駆動部材と、
前記像保持体に接触して、回転する前記像保持体に負荷される抵抗を増加させると共に、前記像保持体に接離可能で、かつ、前記像保持体に接触する接触度合を変更させて前記像保持体に負荷される抵抗を増減させる抵抗部材と、
前記像保持体との間で記録媒体を挟み込んで搬送し、記録媒体に像保持体上の画像を転写する転写部材を有し、前記抵抗部材が前記像保持体に接触している状態、及び前記抵抗部材が前記像保持体に接触していない状態において、回転している前記像保持体に画像を形成し、回転している前記像保持体に形成された画像を、搬送されている記録媒体に転写する画像形成部と、
記録媒体の搬送方向において、前記画像形成部の下流側に配置され、前記画像形成部によって画像が転写されている状態の記録媒体の先端側の部分を挟んで記録媒体を搬送する搬送部材と、
を備える画像形成装置。
【請求項５】
前記抵抗部材を制御する制御部を備え、
前記制御部は、前記抵抗部材を制御し、画像が転写される記録媒体のこわさが、予め決められたこわさ以上の場合は、前記抵抗部材を前記像保持体に接触させ、記録媒体のこわさが、予め決められたこわさ未満の場合は、前記抵抗部材を前記像保持体から離間させ、かつ、記録媒体のこわさが高くなるに従って、前記像保持体に接触する接触度合を大きくする請求項４に記載の画像形成装置。
【発明の詳細な説明】
【技術分野】
【０００１】
本発明は、画像形成装置に関する。
【背景技術】
【０００２】
特許文献１に記載の感光体ブレーキ装置は、ベルト状のブレーキ部材を、感光体の円筒部分の外周面に巻きつけて、所定量のテンションを感光体に負荷する構成となっている。
【先行技術文献】
【特許文献】
【０００３】
【特許文献１】特開平５−１１５２１号公報
【発明の概要】
【発明が解決しようとする課題】
【０００４】
回転する像保持体から画像が転写された記録媒体は、像保持体に対して記録媒体の搬送方向の下流側に配置されている搬送部材と先端が当たり、一旦停止される。回転する像保持体が画像を記録媒体に転写している状態で、記録媒体が一旦停止されると、特に記録媒体が厚紙（比較的腰が強く、撓みづらい紙）である場合に、像保持体が記録媒体上をスリップしてしまう（滑ってしまう）懸念がある。
【０００５】
そこで、像保持体が記録媒体上をスリップしてしまうのを抑制するため、像保持体に負荷される抵抗を大きくする必要がある。そして、像保持体に負荷される抵抗を大きくするために、像保持体の外周面に抵抗を負荷する抵抗部材を備えている画像形成装置がある。この構成においては、抵抗部材は装置本体に対して着脱可能（着脱自在）となっていないため、抵抗部材を必要としない場合（例えば、記録媒体として薄紙（比較的腰が弱く、撓みやすい紙）を用いる場合）であっても、像保持体の外周面に抵抗が負荷される。これによって、像保持体に対して不要な駆動力を与え続けなければならない懸念がある。
【０００６】
本発明の課題は、像保持体に抵抗を負荷するか、負荷しないかを選択したうえで、記録媒体に画像を形成することができるようにすることである。
【課題を解決するための手段】
【０００７】
本発明の請求項１に係る画像形成装置は、画像を保持する像保持体と、前記像保持体が回転するように前記像保持体を駆動する駆動部材と、前記像保持体に接触して、回転する前記像保持体に負荷される抵抗を増加させると共に、装置本体に対して着脱可能な抵抗部材と、前記像保持体との間で記録媒体を挟み込んで搬送し、記録媒体に像保持体上の画像を転写する転写部材を有し、前記抵抗部材が前記装置本体に装着されて前記像保持体に接触している状態、及び前記抵抗部材が前記装置本体から脱離されて前記像保持体に接触していない状態において、回転している前記像保持体に画像を形成し、回転している前記像保持体に形成された画像を、搬送されている記録媒体に転写する画像形成部と、記録媒体の搬送方向において、前記画像形成部の下流側に配置され、前記画像形成部によって画像が転写されている状態の記録媒体の先端側の部分を挟んで記録媒体を搬送する搬送部材と、を備えることを特徴とする。
【０００８】
本発明の請求項２に係る画像形成装置は、画像を保持する像保持体と、前記像保持体が回転するように前記像保持体を駆動する駆動部材と、前記像保持体に接触して、回転する前記像保持体に負荷される抵抗を増加させると共に、前記像保持体に対して接離可能な抵抗部材と、前記像保持体との間で記録媒体を挟み込んで搬送し、記録媒体に像保持体上の画像を転写する転写部材を有し、前記抵抗部材が前記像保持体に接触している状態、及び前記抵抗部材が前記像保持体に接触していない状態において、回転している前記像保持体に画像を形成し、回転している前記像保持体に形成された画像を、搬送されている記録媒体に転写する画像形成部と、記録媒体の搬送方向において、前記画像形成部の下流側に配置され、前記画像形成部によって画像が転写されている状態の記録媒体の先端側の部分を挟んで記録媒体を搬送する搬送部材と、を備えることを特徴とする。
【０００９】
本発明の請求項３に係る画像形成装置は、請求項２に記載の画像形成装置において、前記抵抗部材を制御する制御部を備え、前記制御部は、前記抵抗部材を制御し、画像が転写される記録媒体のこわさが、予め決められたこわさ以上の場合は、前記抵抗部材を前記像保持体に接触させ、記録媒体のこわさが、予め決められたこわさ未満の場合は、前記抵抗部材を前記像保持体から離間させることを特徴とする。
【００１０】
本発明の請求項４に係る画像形成装置は、画像を保持する像保持体と、前記像保持体が回転するように前記像保持体を駆動する駆動部材と、前記像保持体に接触して、回転する前記像保持体に負荷される抵抗を増加させると共に、前記像保持体に接離可能で、かつ、前記像保持体に接触する接触度合を変更させて前記像保持体に負荷される抵抗を増減させる抵抗部材と、前記像保持体との間で記録媒体を挟み込んで搬送し、記録媒体に像保持体上の画像を転写する転写部材を有し、前記抵抗部材が前記像保持体に接触している状態、及び前記抵抗部材が前記像保持体に接触していない状態において、回転している前記像保持体に画像を形成し、回転している前記像保持体に形成された画像を、搬送されている記録媒体に転写する画像形成部と、記録媒体の搬送方向において、前記画像形成部の下流側に配置され、前記画像形成部によって画像が転写されている状態の記録媒体の先端側の部分を挟んで記録媒体を搬送する搬送部材と、を備えることを特徴とする。
【００１１】
本発明の請求項５に係る画像形成装置は、請求項４に記載の画像形成装置において、前記抵抗部材を制御する制御部を備え、前記制御部は、前記抵抗部材を制御し、画像が転写される記録媒体のこわさが、予め決められたこわさ以上の場合は、前記抵抗部材を前記像保持体に接触させ、記録媒体のこわさが、予め決められたこわさ未満の場合は、前記抵抗部材を前記像保持体から離間させ、かつ、記録媒体のこわさが高くなるに従って、前記像保持体に接触する接触度合を大きくすることを特徴とする。
【発明の効果】
【００１２】
本発明の請求項１に係る画像形成装置によれば、像保持体に抵抗を負荷するか、負荷しないかを選択したうえで、記録媒体に画像を形成することができる。
【００１３】
本発明の請求項２に係る画像形成装置によれば、像保持体に抵抗を負荷するか、負荷しないかを選択したうえで、記録媒体に画像を形成することができる。
【００１４】
本発明の請求項３に係る画像形成装置によれば、記録媒体のこわさに基づいて、像保持体に抵抗を負荷するか、負荷しないかを選択することができる。
【００１５】
本発明の請求項４に係る画像形成装置によれば、像保持体に抵抗を負荷するか、負荷しないかを選択したうえで、記録媒体に画像を形成することができる。
【００１６】
本発明の請求項５に係る画像形成装置によれば、記録媒体のこわさに基づいて、像保持体に抵抗を負荷するか、負荷しないかを選択することができ、かつ、像保持体に負荷される抵抗値を変えることができる。
【図面の簡単な説明】
【００１７】
【図１】（Ａ）（Ｂ）本発明の第１実施形態に係る画像形成装置の感光体ドラム、及び抵抗部材等を示した側面図である。
【図２】本発明の第１実施形態に係る画像形成装置を示した構成図である。
【図３】本発明の第１実施形態に係る画像形成装置を示した構成図である。
【図４】本発明の第１実施形態に係る画像形成装置を示した構成図である。
【図５】本発明の第１実施形態に対する画像形成装置の感光体ドラムを示した断面図である。
【図６】本発明の第１実施形態に対する画像形成装置の感光体ユニットを示した斜視図である。
【図７】本発明の第１実施形態に係る画像形成装置を示した構成図である。
【図８】（Ａ）（Ｂ）本発明の第２実施形態に係る画像形成装置の感光体ドラム、及び抵抗部材等を示した側面図である。
【図９】本発明の第２実施形態に係る画像形成装置を用いて行われる画像形成動作を示したフロー図である。
【図１０】（Ａ）（Ｂ）本発明の第３実施形態に係る画像形成装置の感光体ドラム、及び抵抗部材等を示した側面図である。
【図１１】本発明の第３実施形態に係る画像形成装置の感光体ドラム、及び抵抗部材等を示した側面図である。
【図１２】本発明の第３実施形態に係る画像形成装置を用いて行われる画像形成動作を示したフロー図である。
【発明を実施するための形態】
【００１８】
＜第１実施形態＞
本発明の第１実施形態に係る画像形成装置の一例を図１〜図７に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００１９】
（全体構成）
図７に示されるように、本第１実施形態に係る画像形成装置１０には、記録媒体としてのシート部材Ｐが収容される収容部１４と、収容部１４に収容されたシート部材Ｐを搬送する搬送部１６とが備えられている。さらに、画像形成装置１０には、収容部１４から搬送部１６によって搬送されるシート部材Ｐに画像形成処理を行う処理部２０が備えられている。
【００２０】
〔収容部〕
収容部１４には、シート部材Ｐが積載される収容部材２６と、収容部材２６に積載された最上位のシート部材Ｐを、搬送部１６を構成する搬送経路２８に送り出す送出ロール３０とが備えられている。
【００２１】
〔搬送部〕
搬送部１６には、シート部材Ｐが搬送される搬送経路２８に沿って、シート部材Ｐを搬送する複数の搬送ロール（符号省略）が備えられている。
【００２２】
〔処理部〕
処理部２０には、図中矢印Ａ方向に回転する感光体ドラム３６と、感光体ドラム３６の外周面３６Ａを帯電する帯電部材３８と、帯電した感光体ドラム３６の外周面３６Ａに露光光を照射する露光装置４０とが備えられている。さらに、処理部２０には、露光光を照射することで感光体ドラム３６の外周面３６Ａに形成された静電潜像を現像してトナー画像として可視化する現像装置４２と、感光体ドラム３６に付着した異物を感光体ドラム３６から掻き取る清掃部材３４とが備えられている。感光体ドラム３６は、像保持体の一例である。
【００２３】
さらに、処理部２０には、感光体ドラム３６に形成されたトナー画像をシート部材Ｐに転写する転写部５０が備えられている。
【００２４】
この転写部５０には、矢印Ｂ方向に周回する無端状の転写ベルト５２と、転写ベルト５２が巻き掛けられた駆動ロール５４と、転写ベルト５２が巻き掛けられた転写ロール５６とが備えられている。転写ロール５６は、感光体ドラム３６とで転写ベルト５２を挟むように配置されており回転駆動するようになっている。また、駆動ロール５４は、シート部材Ｐの搬送方向において、転写ロール５６の下流側に配置されており回転駆動するようになっている。
【００２５】
この構成において、転写部５０は、搬送部１６によって搬送されてきたシート部材Ｐを受け取り、転写ベルト５２に静電吸着させることで、シート部材Ｐを搬送するようになっている。そして、転写部５０は、感光体ドラム３６と転写ベルト５２とが接触する転写位置Ｔで、感光体ドラム３６に形成されたトナー画像をシート部材Ｐに転写するようになっている。
【００２６】
このように、回転しているに感光体ドラム３６にトナー画像を形成し、回転している感光体ドラム３６に形成されたトナー画像を搬送されているシート部材Ｐに転写する画像形成部２２は、帯電部材３８、露光装置４０、現像装置４２、及び転写部５０を含んで構成されている。
【００２７】
さらに、処理部２０には、トナー画像が転写されたシート部材Ｐを転写部５０から受け取り、シート部材Ｐを加熱・加圧して、トナー画像をシート部材Ｐに定着する定着装置６２が備えられている。定着装置６２は、搬送部材の一例である。
【００２８】
定着装置６２には、回転力が伝達されて回転する加熱ロール６２Ａと、加熱ロール６２Ａに従動して回転すると共に、シート部材Ｐを加熱ロール６２Ａ側に加圧する加圧ロール６２Ｂとが備えられている。
【００２９】
この構成において、定着装置６２は、転写部５０から受け取ったシート部材Ｐを、加熱ロール６２Ａと加圧ロール６２Ｂとの間で挟んで搬送することで、トナー画像をシート部材Ｐに定着するようになっている。
【００３０】
さらに、処理部２０には、感光体ドラム３６に接触して、回転する感光体ドラム３６に負荷される抵抗を増加させると共に、画像形成装置１０の装置本体１０Ａに対して着脱可能な抵抗部材６０が備えられている。
【００３１】
なお、感光体ドラム３６、及び抵抗部材６０等については、詳細を後述する。
【００３２】
（画像形成装置の作用）
画像形成装置１０では、次のようにして画像が形成される。
【００３３】
先ず、帯電部材３８は、回転する感光体ドラム３６の外周面を予定の電位で一様にマイナス帯電する。続いて、画像データに基づいて露光装置４０は、帯電した感光体ドラム３６の外周面に露光光を照射して静電潜像を形成する。
【００３４】
これにより、画像データに対応した静電潜像が感光体ドラム３６の外周面に形成される。さらに、現像装置４２は、この静電潜像を現像し、トナー画像として可視化する。
【００３５】
そこで、収容部材２６から送出ロール３０によって搬送経路２８へ送り出されたシート部材Ｐは、転写ベルト５２と感光体ドラム３６とが接触する転写位置Ｔへ送り出される。転写位置Ｔでは、シート部材Ｐが転写ベルト５２と感光体ドラム３６との間で挟まれて搬送されることで、感光体ドラム３６のトナー画像は、シート部材Ｐに転写される。
【００３６】
さらに、定着装置６２の加熱ロール６２Ａと、加圧ロール６２Ｂとの間でシート部材Ｐが挟まれて搬送されることで、シート部材Ｐに転写されたトナー画像は、シート部材Ｐに定着される。そして、トナー画像が定着されたシート部材Ｐは、装置本体１０Ａの外部へ排出される。
【００３７】
（要部構成）
次に、感光体ドラム３６、及び抵抗部材６０等について説明する。
【００３８】
〔感光体ドラム〕
感光体ドラム３６は、装置本体１０Ａに着脱可能な、感光体ユニット６４の一部を構成している。この感光体ユニット６４は、本実施形態では、図６に示されるように、筐体６６と、筐体６６に取り付けられている感光体ドラム３６、帯電部材３８、抵抗部材６０、及び清掃部材３４（図７参照）と、を備えている。
【００３９】
感光体ドラム３６は、図５に示されるように、装置奥行方向に延びる円筒状の筒体６８と、筒体６８において装置奥行方向（筒体６８の軸方向と同様の方向）の一端（図中右端）に固定されている閉止蓋７０とを備えている。さらに、感光体ドラム３６は、筒体６８において装置奥行方向の他端（図中左端）に固定されている閉止蓋７２を備えている。
【００４０】
筒体６８は、金属材料を円筒状に形成した基材の外表面に感光層を塗布したものである。本実施形態では、筒体６８の基材は、アルミニウム管であって、筒体６８の厚さは、１．０〔ｍｍ〕とされている。そして、筒体６８の外径は、８４〔ｍｍ〕とされ、筒体６８の装置奥行方向の長さは、３５７〔ｍｍ〕とされている。
【００４１】
閉止蓋７０、７２は、樹脂材料で円盤形状に形成され、筒体６８の内部に一部が嵌め込まれて接着されることで筒体６８の端部に固定され、開放された筒体６８の両端を閉止している。
【００４２】
さらに、閉止蓋７０には、筒体６８の中心軸Ｆを通る円柱状の貫通孔７０Ａが形成されている。また、閉止蓋７０の外表面には、貫通孔７０Ａを挟むように複数の凹部７０Ｂが形成されている。さらに、閉止蓋７２には、筒体６８の中心軸Ｆを通る円柱状の貫通孔７２Ａが形成されている。
【００４３】
また、感光体ドラム３６の装置奥行方向の一端側には、感光体ドラム３６が回転するように感光体ドラム３６を駆動するモータ７６が配置されている。モータ７６は、駆動部材の一例である。
【００４４】
モータ７６は、筐体６６に取り付けられており、モータ７６のモータ軸部７６Ａは、閉止蓋７０の貫通孔７０Ａを貫通している。さらに、モータ軸部７６Ａの外周面には、屈曲した先端部が閉止蓋７０の凹部７０Ｂに挿入されている板状のブラケット８０が、取り付けられている。このモータ７６によって、感光体ドラム３６が予め決められた回転数で回転するようになっている。
【００４５】
一方、感光体ドラム３６の装置奥行方向の他端側には、感光体ドラム３６を回転可能に支持する段付円柱状の軸部材８４が配置されている。軸部材８４は、筐体６６に取り付けられている。
【００４６】
この軸部材８４は、筒体６８の中心軸Ｆ上に延びて閉止蓋７２の貫通孔７２Ａに挿入されている軸部８４Ｃを有している。また、貫通孔７２Ａの内周面と軸部８４Ｃの外周面との間には、転がり軸受８６が配置されている。
【００４７】
この構成において、モータ７６を稼働させるとモータ軸部７６Ａが回転し、この回転力が感光体ドラム３６に伝達されて、感光体ドラム３６は、中心軸Ｆ周りに回転するようになっている。
【００４８】
また、筐体６６には、後述する抵抗部材６０が取り付けられる取付部６６Ａが、図１（Ａ）、図６に示されるように、装置奥行方向に延びて形成されている。取付部６６Ａは、装置奥行方向から見て、感光体ドラム３６の周回方向において、現像装置４２に対して下流側で、転写位置Ｔに対して上流側に配置されており、断面台形状とされている。
【００４９】
〔抵抗部材〕
抵抗部材６０は、図６に示されるように、筐体６６において装置奥行方向の手前側の部分と、奥側の部分とに、一対設けられている。そして、抵抗部材６０は、図１（Ａ）に示されるように、感光体ドラム３６と接触する接触部９０と、基部９２とを夫々備えている。
【００５０】
接触部９０は、直方体状とされ、例えば、ウレタンフォームに不織布を被覆することで形成されている。そして、装置奥行方向の手前側に配置されている抵抗部材６０の接触部９０は、感光体ドラム３６の閉止蓋７０に接触しており、装置奥行方向の奥側に配置されている抵抗部材６０の接触部９０は、感光体ドラム３６の閉止蓋７２に接触している（図５、図６参照）。具体的には、夫々の接触部９０は、装置奥行方向から見て、感光体ドラム３６の径方向（以下「ドラム径方向」）の外側から閉止蓋７０、７２に接触している。
【００５１】
基部９２は、樹装置奥行方向から見て、Ｕ字状とされ、例えば、樹脂材料によって形成されている。基部９２の一端に接触部９０が図示せぬ接着剤を用いて取り付けられている。さらに、基部９２の他端側の部分には、板面が装置上下方向を向くと共に、上面が筐体６６の取付部６６Ａと接触している板９２Ａが形成されている。また、この板９２Ａには、板９２Ａを上下方向に貫通する貫通孔９２Ｂ（図１（Ｂ）参照）が形成されている。
【００５２】
そして、図１（Ａ）（Ｂ）に示されるように、ボルト９４を、貫通孔９２Ｂに貫通させて、取付部６６Ａに形成された雌ねじ部（符号省略）にねじ込むことで、抵抗部材６０が、筐体６６に装着されるようになっている。
【００５３】
このように、抵抗部材６０は、筐体６６に対して着脱可能とされている。また、抵抗部材６０が装着された状態で筐体６６を、画像形成装置１０の装置本体１０Ａに装着可能であり、さらに、抵抗部材６０が離脱された状態で筐体６６を、画像形成装置１０の装置本体１０Ａに装着可能である。換言すれば、抵抗部材６０は、画像形成装置１０の装置本体１０Ａ（図７参照）に着脱可能とされている。ここで、「抵抗部材６０が着脱可能」とは、感光体ドラム３６を、感光体ドラム３６が取り付けられている筐体６６（取付対象部材）から取り外すことなく、抵抗部材６０が、筐体６６に対して着脱可能であること意味する。
【００５４】
そして、抵抗部材６０が装置本体１０Ａに装着された状態、及び抵抗部材６０が装置本体１０Ａから脱離された状態において、画像形成部２２が、シート部材Ｐにトナー画像を形成するようになっている。具体的には、画像形成部２２が、回転している感光体ドラム３６にトナー画像を形成し、回転している感光体ドラム３６に形成されたトナー画像を搬送されているシート部材Ｐに転写するようになっている。
【００５５】
〔その他〕
画像形成装置１０において、感光体ドラム３６と転写ベルト５２とが接触している転写位置Ｔから、加熱ロール６２Ａと加圧ロール６２Ｂとが接触している接触位置Ｓまでの距離（図３に示すＤ１）は、画像形成装置１０に用いられるシート部材Ｐ（枚葉紙）の長手方向の長さに比して、短くされている。
【００５６】
（作用）
次に、抵抗部材６０が装置本体１０Ａに装着された状態（以下「装着状態」）及び抵抗部材６０が装置本体１０Ａから脱離された状態（以下「脱離状態」）における画像形成装置１０において、主に感光体ドラム３６及び抵抗部材６０の作用について説明する。先ず、脱離状態について説明し、次に装着状態について説明する。
【００５７】
−脱離状態−
抵抗部材６０の脱離状態では、抵抗部材６０の接触部９０が感光体ドラム３６に接触していないため（感光体ドラム３６に抵抗を負荷していないため）、抵抗部材６０の装着状態と比して、回転する感光体ドラム３６に負荷される抵抗が小さい。このため、抵抗部材６０の装着状態と比して小さい駆動力によって、感光体ドラム３６は、予め定められた回転数で回転する。
【００５８】
そして、図４に示されるように、転写位置Ｔでシート部材Ｐを、回転する感光体ドラム３６と周回する転写ベルト５２とで挟むことで、感光体ドラム３６に形成されたトナー画像は、シート部材Ｐに転写される。
【００５９】
さらに、回転している感光体ドラム３６と周回している転写ベルト５２とで挟まれながら搬送されているシート部材Ｐは、図３に示されるように、回転している加熱ロール６２Ａと加圧ロール６２Ｂとが接触している接触位置Ｓに先端が当たり、先端側が一旦停止される。
【００６０】
ここで、シート部材Ｐのこわさが比較的低い場合、例えば、シート部材Ｐが普通紙で坪量が６５〔ｇ／ｍ３〕の場合には、シート部材Ｐは、比較的腰が弱く、撓みやすい。このため、シート部材Ｐは、図２に示されるように、転写位置Ｔと接触位置Ｓとの間で、撓んだ後に、回転している加熱ロール６２Ａと加圧ロール６２Ｂとに挟まれて搬送される。
【００６１】
なお、シート部材Ｐの「こわさ」とは、シート部材Ｐの剛度のことで、シート部材Ｐの坪量が増えると、シート部材Ｐのこわさが高くなり、シート部材Ｐに腰がでる。
【００６２】
一方、シート部材Ｐのこわさが比較的高い場合、例えば、シート部材Ｐが厚紙で坪量が３５０〔ｇ／ｍ３〕の場合には、シート部材Ｐは、比較的腰が強く、撓みにくい。ここで、抵抗部材６０の脱離状態では、前述したように、抵抗部材６０の装着状態と比して、回転する感光体ドラム３６に負荷される抵抗が小さい。これにより、容易に感光体ドラム３６が回転してしまうため、回転している加熱ロール６２Ａと加圧ロール６２Ｂとが接触している接触位置Ｓに先端が当たり、搬送されているシート部材Ｐが一旦停止されると、感光体ドラム３６がシート部材Ｐ上でスリップしてしまう場合がある。この場合には、感光体ドラム３６がシート部材Ｐ上でスリップした後、シート部材Ｐは、回転している加熱ロール６２Ａと加圧ロール６２Ｂとに挟まれて搬送される。
【００６３】
−装着状態−
次に、抵抗部材６０の装着状態について説明する。抵抗部材６０の装着状態については、脱離状態と異なる部分を主に説明する。
【００６４】
抵抗部材６０の装着状態では、抵抗部材６０の脱離状態と比して、抵抗部材６０の接触部９０が感光体ドラム３６に接触しているため（感光体ドラム３６に抵抗が負荷されているため）、回転する感光体ドラム３６に負荷される抵抗が大きい。このため、抵抗部材６０の脱離状態と比して大きい駆動力によって、感光体ドラム３６は、予め定められた回転数で回転する。
【００６５】
そして、回転している感光体ドラム３６と周回している転写ベルト５２とで挟まれながら搬送されているシート部材Ｐは、図３に示されるように、回転している加熱ロール６２Ａと加圧ロール６２Ｂとが接触している接触位置Ｓに先端が当たり、一旦停止される。
【００６６】
シート部材Ｐのこわさが比較的低い場合、例えば、シート部材Ｐが普通紙で坪量が６５〔ｇ／ｍ３〕の場合には、シート部材Ｐは、比較的腰が弱く、撓みやすい。このため、脱離状態と同様に、シート部材Ｐは、図２に示されるように、転写位置Ｔと接触位置Ｓとの間で、撓んだ後に、回転している加熱ロール６２Ａと加圧ロール６２Ｂとに挟まれて搬送される。
【００６７】
一方、シート部材Ｐのこわさが比較的高い場合、例えば、シート部材Ｐが厚紙で坪量が３５０〔ｇ／ｍ３〕の場合には、シート部材Ｐは、比較的腰が強く、撓みにくい。しかし、前述したように、抵抗部材６０の装着状態では、抵抗部材６０の脱離状態と比して、回転する感光体ドラム３６に負荷される抵抗が大きい。これにより、回転する感光体ドラム３６が容易に停止してしまうため、回転する感光体ドラム３６が一旦停止した後に、シート部材Ｐは、回転している加熱ロール６２Ａと加圧ロール６２Ｂとに挟まれて搬送される。つまり、感光体ドラム３６がシート部材Ｐ上でスリップしてしまうのが抑制される。
【００６８】
（まとめ）
以上説明したように、抵抗部材６０の脱離状態では、シート部材Ｐのこわさが比較的高い場合に、感光体ドラム３６がシート部材Ｐ上でスリップしてしまう懸念がある。
【００６９】
一方、抵抗部材６０の装着状態では、抵抗部材６０の脱離状態と比して大きい駆動力によって、感光体ドラム３６が回転する。つまり、感光体ドラム３６に対して不要な駆動力を与え続けなければならない懸念がある
ここで、抵抗部材６０は、装置本体１０Ａに着脱可能とされている。このため、ユーザが、感光体ドラム３６に抵抗を負荷する装着状態とするか、感光体ドラム３６に抵抗を負荷しない脱離状態にするかを選択したうえで、シート部材Ｐに画像が形成される。
【００７０】
＜第２実施形態＞
本発明の第２実施形態に係る画像形成装置の一例を図８、図９に従って説明する。なお、第１実施形態と同一部材等については、同一符号を付してその説明を省略し、第１実施形態と異なる部分を主に説明する。
【００７１】
（構成）
第２実施形態に係る画像形成装置１１０の抵抗部材１２０は、図８（Ａ）に示されるように、接触部９０と、接触部９０が取り付けられているソレノイド１２２と、ソレノイド１２２を支持する支持部１２４とを備えている。
【００７２】
ソレノイド１２２が稼動することで、図８（Ａ）に示されるように、接触部９０が感光体ドラム３６に接触し、ソレノイド１２２が非稼働とされることで、図８（Ｂ）に示されるように、接触部９０が感光体ドラム３６から離間するようになっている。
【００７３】
支持部１２４は、装置幅方向に延び、装置幅方向の一端部（図中右端部）で筐体６６の取付部６６Ａと接触し、装置幅方向の他端部（図中左端部）で、ソレノイド１２２を支持している。そして、支持部１２４の装置幅方向の一端部に、ボルト９４が貫通する貫通孔（図示省略）が形成されている。
【００７４】
さらに、画像形成装置１１０は、抵抗部材１２０のソレノイド１２２を制御する制御部１３０を備えている。なお、制御部１３０によるソレノイド１２２に対する制御については、後述する作用と共に説明する。
【００７５】
また、画像形成装置１１０は、収容部材２６に積載されるシート部材Ｐの坪量を、ユーザが入力する入力部（図示省略）を備えている。
【００７６】
（作用）
次に、画像形成装置１１０の作用について、図９に示すフロー図を用いて説明する。画像形成装置１１０の非稼働状態では、図８（Ｂ）に示されるように、ソレノイド１２２が非稼働とされており、接触部９０は感光体ドラム３６から離間している。
【００７７】
画像形成装置１１０が稼動すると、図９に示すステップＳ１００で、制御部１３０は、画像形成に用いられるシート部材Ｐの坪量情報を入手する。制御部１３０がシート部材Ｐの坪量情報を入手するとステップＳ２００へ移行する。
【００７８】
ステップＳ２００では、シート部材の坪量が、例えば３５０〔ｇ／ｍ３〕以上か否かを、制御部１３０が判断する。そして、シート部材Ｐの坪量が３５０〔ｇ／ｍ３〕以上の場合は、ステップＳ３００へ移行し、シート部材Ｐの坪量が３５０〔ｇ／ｍ３〕未満の場合は、ステップＳ４００へ移行する。
【００７９】
ステップＳ３００では、制御部１３０が、非稼働状態のソレノイド１２２を稼動状態とする。これにより、図８（Ａ）に示されるように、制御部１３０が、接触部９０を感光体ドラム３６に接触させる。接触部９０が感光体ドラム３６に接触すると、ステップＳ４００へ移行する。
【００８０】
ステップＳ４００では、画像形成動作が開始されて、感光体ドラム３６が回転し始める。シート部材Ｐに画像が形成され、シート部材Ｐが装置本体１０Ａの外部に排出されると、一連の動作が終了する。なお、画像形成動作が終了したときに、接触部９０が感光体ドラム３６に接触している場合には、制御部１３０が、稼働状態のソレノイド１２２を非稼動状態とし、接触部９０を感光体ドラム３６から離間させる。
【００８１】
（まとめ）
以上説明したように、画像形成装置１１０が、抵抗部材１２０及び制御部１３０を備えることで、ユーザが抵抗部材を着脱させることなく、シート部材Ｐのこわさに基づいて、感光体ドラム３６に抵抗を負荷するか、負荷しないかが選択される。
【００８２】
第２実施形態の他の作用については、第１実施形態の作用と同様である。
【００８３】
＜第３実施形態＞
本発明の第３実施形態に係る画像形成装置の一例を図１０、図１１、図１２に従って説明する。なお、第１実施形態と同一部材等については、同一符号を付してその説明を省略し、第１実施形態と異なる部分を主に説明する。
【００８４】
（構成）
第３実施形態に係る画像形成装置１６０の抵抗部材１７０は、図１０（Ａ）に示されるように、接触部９０と、感光体ドラム３６に対する接触部９０の接触度合を変える可変部１７２と、可変部１７２を支持する支持部１７４とを備えている。
【００８５】
可変部１７２は、接触部９０が取り付けられている板状の板部材１７８と、板部材１７８を挟んで接触部９０の反対側に配置されている偏心カム１８０と、偏心カム１８０を回転させるステッピングモータ１８２（以下「モータ１８２」）とを備えている。さらに、可変部１７２は、板部材１７８を偏心カム１８０の外周面側に付勢する複数の付勢ばね１８４と、板部材１７８がドラム径方向に移動するように板部材１７８を案内する案内部材（図示省略）とを備えている。これにより、偏心カム１８０が回転することで、板部材１７８がドラム径方向に移動して、接触部９０が感光体ドラム３６に対して接離すると共に、感光体ドラム３６に対する接触部９０の接触度合が変わるようになっている。
【００８６】
また、支持部１７４は、装置幅方向に延び、装置幅方向の一端部で筐体６６の取付部６６Ａと接触し、装置幅方向の他端部で、可変部１７２を支持している。そして、支持部１７４の装置幅方向の一端部に、ボルト９４が貫通する貫通孔（図示省略）が形成されている。
【００８７】
さらに、画像形成装置１６０は、可変部１７２のモータ１８２を制御する制御部１９０を備えている。なお、制御部１９０によるモータ１８２に対する制御については、後述する作用と共に説明する。
【００８８】
また、画像形成装置１６０は、収容部材２６に積載されるシート部材Ｐの坪量を、ユーザが入力する入力部（図示省略）を備えている。
【００８９】
（作用）
次に、画像形成装置１６０の作用について、図１２に示すフロー図を用いて説明する。画像形成装置１６０の非稼働状態では、図１０（Ｂ）に示されるように、接触部９０が感光体ドラム３６から離間するように、偏心カム１８０が配置されている。
【００９０】
画像形成装置１６０が稼動すると、図１２に示すステップＳ１１００で、制御部１９０は、画像形成に用いられるシート部材Ｐの坪量を入手する。制御部１９０がシート部材Ｐの坪量を入手するとステップＳ１２００へ移行する。
【００９１】
ステップＳ１２００では、シート部材の坪量が、例えば２５０〔ｇ／ｍ３〕以上か否かを、制御部１９０が判断する。そして、シート部材Ｐの坪量が２５０〔ｇ／ｍ３〕以上の場合は、ステップＳ１３００へ移行し、シート部材Ｐの坪量が２５０〔ｇ／ｍ３〕未満の場合は、ステップＳ１５００へ移行する。
【００９２】
ステップＳ１３００では、シート部材の坪量が、例えば３５０〔ｇ／ｍ３〕以上か否かを、制御部１９０が判断する。そして、シート部材Ｐの坪量が３５０〔ｇ／ｍ３〕以上の場合は、ステップＳ１４００へ移行し、シート部材Ｐの坪量が３５０〔ｇ／ｍ３〕未満の場合は、ステップＳ１３１０へ移行する。
【００９３】
ステップＳ１４００では、制御部１９０が、モータ１８２を稼動させて偏心カム１８０を１８０度回転させる。これにより、図１０（Ａ）に示されるように、制御部１９０が、接触部９０を感光体ドラム３６に強く接触させる。接触部９０が感光体ドラム３６に強く接触すると、ステップＳ１５００へ移行する。
【００９４】
ステップＳ１５００では、画像形成動作が開始されて、感光体ドラム３６が回転し始める。シート部材Ｐに画像が形成され、シート部材Ｐが、装置本体１０Ａの外部に排出されると、一連の動作が終了する。なお、画像形成動作が終了したときに、接触部９０が感光体ドラム３６に接触している場合には、制御部１９０が、モータ１８２を稼動させて偏心カム１８０を回転させることで、接触部９０を感光体ドラム３６から離間させる。
【００９５】
一方、ステップＳ１３００で、制御部１９０が、シート部材Ｐの坪量が３５０〔ｇ／ｍ３〕未満と判断して、ステップＳ１３１０へ移行した場合には、ステップＳ１３１０では、制御部１９０が、図１１に示されるように、モータ１８２を稼動させて偏心カム１８０を９０度回転させる。これにより、制御部１９０が、接触部９０を感光体ドラム３６に弱く接触させる。接触部９０が感光体ドラム３６に弱く接触すると、ステップＳ１５００へ移行する。
【００９６】
（まとめ）
以上説明したように、画像形成装置１６０が抵抗部材１７０及び制御部１９０を備えることで、ユーザが抵抗部材を着脱させることなく、シート部材Ｐのこわさに基づいて感光体ドラム３６に抵抗を負荷するか、負荷しないかを選択することができ、かつ、感光体ドラム３６に負荷される抵抗値が変えられる。
【００９７】
第３実施形態の他の作用については、第１実施形態の作用と同様である。
【００９８】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、抵抗部材６０、１２０、１７０は、一対設けられたが、抵抗部材は、１個でもよく、３個以上であってもよい。
【００９９】
また、上記実施形態では、トナー画像が転写されているシート部材Ｐの先端が、定着装置６２の接触位置Ｓに当たったが、定着装置ではなく、例えば、一対の搬送ロールの挟持部等に当たってもよい。
【０１００】
また、上記実施形態では、感光体ドラム３６は、転がり軸受８６によって回転可能に支持されたが、例えば、滑り軸受等によって支持されてもよい。
【０１０１】
また、上記実施形態では特に説明しなかったが、転写ロール５６に回転力が伝達されてもよい。
【０１０２】
また、上記実施形態では、単色画像を出力する画像形成装置を用いて説明したが、カラー画像を出力する画像形成装置であってもよい。
【０１０３】
また、上記実施形態では、感光体ドラム３６の装置奥行方向の他端側が、転がり軸受８６を介して段付円柱状の軸部材８４に支持されたが、配置されている。軸部材８４は、筐体６６に取り付けられている。転がり軸受（ボールベアリング）を介して直接筐体６６に取り付けられてもよい。
【０１０４】
また、上記第２実施形態では、抵抗部材１２０は、筐体６６に取り付けられたが、画像形成装置１０の装置本体１０Ａに取り付けられてもよい。
【０１０５】
また、上記第３実施形態では、抵抗部材１７０は、筐体６６に取り付けられたが、画像形成装置１０の装置本体１０Ａに取り付けられてもよい。
【符号の説明】
【０１０６】
１０          画像形成装置
１０Ａ        装置本体
２２          画像形成部
３６          感光体ドラム（像保持体の一例）
５２          転写ベルト（転写部材の一例）
６０          抵抗部材
６２          定着装置（搬送部材の一例）
７６          モータ（駆動部材の一例）
１２０        抵抗部材
１３０        制御部
１７０        抵抗部材
１９０        制御部
【図１】
2018146842.tif 000003
【図２】
2018146842.tif 000004
【図３】
2018146842.tif 000005
【図４】
2018146842.tif 000006
【図５】
2018146842.tif 000007
【図６】
2018146842.tif 000008
【図７】
2018146842.tif 000009
【図８】
2018146842.tif 000010
【図９】
2018146842.tif 000011
【図１０】
2018146842.tif 000012
【図１１】
2018146842.tif 000013
【図１２】
2018146842.tif 000014